(57)【特許請求の範囲】
【請求項１】
蓋本体と該蓋本体に隣接して設けられたタブ部とからなる蓋材であって、該蓋材は基材とこれを被覆する表面シートが接着剤層を介して積層され、かつ前記タブ部においては前記基材と表面シートの層間に位置する表面シートの裏面側に、剥離剤層と粘着剤層とを順次積層してなるタック層が形成され、さらには前記基材から前記粘着剤層もしくは剥離剤層下端部に達するハーフカットを設け、該ハーフカットに沿って蓋材から剥がすことによりタックシールとして使用可能な剥離片を形成したことを特徴とする蓋材。
【請求項２】
蓋本体と該蓋本体に隣接して設けられたタブ部とからなる蓋材であって、該蓋材は基材とこれを被覆する表面シートが接着剤層を介して積層され、かつ前記タブ部と対向する位置においては前記基材と表面シートの層間に位置する表面シートの裏面側に、粘着剤層と剥離剤層とを順次積層してなるタック層が形成され、さらには前記表面シートから前記粘着剤層もしくは剥離剤層上端部に達するハーフカットを設け、該ハーフカットに沿って蓋材から剥がすことによりタックシールとして使用可能な剥離片を形成したことを特徴とする蓋材。
【発明の詳細な説明】
【０００１】
【発明の属する技術分野】
本発明は、蓋材に関し、特にその一部を層間剥離させることにより、その剥離片をタックシールとして使用可能としたものに係わる。
【０００２】
【従来の技術】
従来より、インスタント食品において、プラスチック製または紙製の上方を開口した容器に食品である中身を収容し、かつシート状の蓋材で容器の開口部を熱シールした形態の商品として売られているのが知られる。
この容器入りインスタント食品は、容器内にお湯を注いで数分後に食べられるようにしたものであり、カップラーメンがその例である。また、お湯を注いだ後お湯を捨てて食するものとしては焼きそばやスパゲティーなどがある。
【０００３】
この容器入りインスタント食品を、消費者が食するに当たっては、蓋材の一部を剥がし、剥がした部分からお湯を注ぎ、中身を食べられるようにする。このため、熱ができるだけ冷めないようにするのが好ましいので、お湯を注いだ後、剥がした部分の蓋を閉めることが行われる（リクローズと称することにする）。
【０００４】
しかしながら、従来のシート状の蓋は、リクローズしようとしても、蓋がお湯の熱や蒸気などにより浮き上がってしまうので、お湯の冷めるのが早く、場合により中身の食品が食べられる状態にないという欠点がある。
この改良策として、わざわざ容器の側面の一部に別に容易したタックシール（常温で粘着性を有するシート）を貼り付けておき、消費者がそのタックシールを剥がしてお湯を注いで蓋をした後、そのタックシールを貼り付けて蓋開きを防止することなどが考えられている。
【０００５】
【発明が解決しようとする課題】
本発明は、わざわざ容器の側面の一部にタックシールを別途取り付けることなく、蓋のリクローズを可能とする蓋材を提供するものである。
【０００６】
【課題を解決するための手段】
本発明に於いて上記課題を達成するために、まず請求項１においては、蓋本体と該蓋本体に隣接して設けられたタブ部とからなる蓋材であって、該蓋材は基材とこれを被覆する表面シートが接着剤層を介して積層され、かつ前記タブ部においては前記基材と表面シートの層間に位置する表面シートの裏面側に、剥離剤層と粘着剤層とを順次積層してなるタック層が形成され、さらには前記基材から前記粘着剤層もしくは剥離剤層下端部に達するハーフカットを設け、該ハーフカットに沿って蓋材から剥がすことによりタックシールとして使用可能な剥離片を形成したことを特徴とする蓋材としたものである。
【０００７】
また請求項２においては、蓋本体と該蓋本体に隣接して設けられたタブ部とからなる蓋材であって、該蓋材は基材とこれを被覆する表面シートが接着剤層を介して積層され、かつ前記タブ部と対向する位置においては前記基材と表面シートの層間に位置する表面シートの裏面側に、粘着剤層と剥離剤層とを順次積層してなるタック層が形成され、さらには前記表面シートから前記粘着剤層もしくは剥離剤層上端部に達するハーフカットを設け、該ハーフカットに沿って蓋材から剥がすことによりタックシールとして使用可能な剥離片を形成したことを特徴とする蓋材としたものである。
【０００８】
上記のような手段を講じたため、蓋材の一部をハーフカットの部分から剥離させようとすると、ハーフカットを介して剥離剤層と粘着剤層との間において剥離され、その剥離片をタックシールとして使用することができる。したがって、この剥離片が蓋をリクローズさせ、蓋開きを防止させることになる。
【０００９】
【発明の実施の形態】
以下本発明の実施の形態につき説明する。
蓋材１は、図１に示すように、蓋本体２と該蓋本体２に隣接して設けられたタブ部３とからなる。
【００１０】
蓋材１は、容器の開口部とほぼ同じ形状でも良いが、タブ部を設けてやや大きい形状にするのが好ましい。
蓋本体２は、中身を収容した容器の開口部を蓋をして中身を保護するものであり、タブ部３は、蓋材１を容器から開ける時に、指でつまんで蓋を開けやすくするためのものである。
【００１１】
蓋材１の構成としては、図２、７に示すように、基材１１とこれを被覆する表面シート１３とを接着剤層１２を介して積層したものであり、かつ基材１１と表面シート１３との間にタック層１４を有するものである。
【００１２】
表面シート１３は芯材１６を主とした層であり、芯材１６としては、紙や、合成紙、あるいは乳白ポリエチレンフィルム、乳白ポリエステルフィルムなどのプラスチックフィルムを用いることができる。
通常、芯材１６の表側には印刷などにより、模様、文字などの絵柄層を設けることが行われる。
芯材１６として紙を使用した時には、裏側には、接着剤などの過剰な浸透を抑えたり、接着性を高めるために、目止めコート層１７を設けても良く、該目止めコート層１７としては、硝化綿、ウレタン／塩酢ビなどを主体とした樹脂系のコート剤を用いることができる。
また、表面シート１３の表側には、シート同士が密着するのを防止する為に、ブロッキング防止ニスをコーティングしても良い。
ブロッキング防止ニスとしては、硝化綿、硝化綿／ポリアミド、ウレタン／塩酢ビなどを主体とした樹脂系のコート剤を用いることが可能であり、さらに、剥離効果を持たせる場合には、シリカ、ポリアマイド、シリコン、ＰＥＷＡＸなだから適宜選択して添加しても良い。
【００１３】
基材１１は、基材シート２１と熱シール材層２２とからなる。
基材シート２１としては、アウルムニウム箔などの箔類、金属または無機酸化物をＰＥＴなどのプラスチックフィルムに蒸着した蒸着プラスチックフィルムなどを主としたシートを用いることにより、遮光性、防湿性、ガスバリア性などの機能を付与し、容器内の中身の保護を可能としたものである。その他に、特に遮光性を付与するものとして、紙やＰＥＴなどのプラスチックフィルムに対しスミ／白コートなどのコーティングを施した着色シートなども使用できる。また上記材料を組み合わせて積層したシートを用いても良い。
熱シール材層２２としては、熱シール材をコーティングして設けた層であり、熱シール材とは、常温では粘着性がなく熱により接着性の出てくるものであり、タブ部３にあたる部分には、熱シール材層１３を設けても設けなくとも良い。
容器の開口部と熱シール可能なものであれば良く、例えばエチレン−酢酸ビニル共重合体（ＥＶＡ）、エチレン−メタクリル酸共重合体（ＥＭＡＡ）などが使用できる。
【００１４】
接着剤層１２は、基材１１と表面シート１３とを貼り合わせるのに使用するものであり、表面シート１３の裏側に接着剤をコートして設ける。
接着剤は、ウレタン、ウレタン／ポリエステル、ウレタン／ポリエーテルなどの塗料状のものを使用する。また、エチレン−酢酸ビニル共重合体（ＥＶＡ）、エチレン−メタクリル酸共重合体（ＥＭＡＡ）、ポリエチレンなどのプラスチック樹脂を、エクストルーダーを用いてフィルム状にしてラミネートすることにより接着性能を持たせても良い。
【００１５】
タック層１４としては、表面シート１３の裏面側全面あるいは一部分またはパターン状に設けることが可能であり、該タック層１４の構成としては粘着剤層１９単独または剥離剤層１８と粘着剤層１９を積層したものが考えられる。この時剥離剤層１８と粘着剤層１９の大きさは同じでなくても良い。
上述のタック層１４の形成方法として、通常は前記接着剤層１２を貼り合わせる前に表面シート１３の裏面側にコーティング等により形成する。
そして、粘着剤層１９単独からなるタック層１４において、剥離片５１を剥がそうとした場合、主として粘着剤層１９内で剥離が生じ、接着剤層１２および表面シート１３のそれぞれに粘着剤が転移する。
一方、剥離剤層１８／粘着剤層１９からなるタック層１４において、同様に剥離片５１を剥がそうとした場合には、主として剥離剤層１８と粘着剤層１９との間で剥離が生じ、粘着剤は表面シート１３あるいは接着剤層１２のどちらかに転移する。（本発明においては、粘着剤は剥離片５１側に転移する形で形成されます。）
ここで、粘着剤層１９としては、コールドシール、感熱ニス、アクリルまたはゴム系樹脂を主成分とする粘着コート剤をコーティングすることで形成される。
【００１６】
剥離剤層１８は、一般的に滑剤と称せられるものが考えられ、例えば、流動パラフィンなどの炭化水素系、脂肪酸系、脂肪酸低級アルコールエステルなどのエステル系、ポリグリコールなどのアルコール系、さらには有機シリコン化合物、ポリアミド樹脂などがあげられる。
【００１７】
蓋材１には、剥離片５１を形成するためのハーフカット２３が形成されており、該ハーフカット２３に沿って蓋材１から剥離片５１を剥がすことにより、剥離片５１自体がそのままタックシールとして使用可能となる。
【００１８】
【実施例】
以下実施例により本発明を詳細に説明する。
〈実施例１〉
本発明の蓋材１の構成を、図２に示す。
あらかじめ容器４１との剥離を容易にした低温接着性を有するＥＶＡなどのオレフィン系樹脂からなる熱シール材を、基材シート２１としてのアルミニウム箔（７μｍ厚）に塗布して熱シール材層２２（２５μｍ厚）とすることによって基材１１を作製した。
一方、芯材１６として紙（１２７．９ｇ／ｍ2 ）を用いて、グラビア印刷法にて表裏同一工程で、表面側にインキによる印刷絵柄層１５を、裏面側に硝化綿を主成分とする樹脂系目止め剤を用いて目止めコート層１７（２ｇ／ｍ2 ）を設けて表面シート１３を作製した。さらに該目止めコート層１７の一部裏面側にシリコン樹脂を添加した硝化綿を主とする剥離剤層１８（５ｇ／ｍ2 ）を介して感熱ニスからなる粘着剤（２０ｇ／ｍ2 ）を塗布して粘着剤層１９を設けることによりタック層１４を作製した。
このタック層１４を有する表面シート１３のタック層１４側と、上述の基材１１のアルミニウム箔側とを、熱接着性に優れたポリエチレン（２０μｍ厚）からなる接着剤層１２によりエクストルーダーを用いてラミネートすることにより積層材を作製した。
続いて、このラミネートされた巻取状の積層材を枚葉状に大断ちした後、ハーフカット加工を行い、ハーフカット完了後、小断ち・抜き加工を経て本発明の蓋材１を作製した。（ハーフカット加工時に同時に小断ち・抜き加工を行う場合もある。）
【００１９】
この蓋材１の形状は、図１に示すように、容器の周縁開口部よりはみだした部分（タブ部３）を有し、かつハーフカット２３はタブ部３内に設けられているようにしている。
【００２０】
この蓋材１が、ハーフカット２３に沿って、剥離片５１が得られか確認テストを行った。すなわち、図３に示すように、タブ部３の部分において、表面シート１３と基材１１とを剥がそうとすると、剥離剤層１８と粘着剤層１９との間から剥がれて、接着剤層１２を有する基材１１側に粘着剤層１９が転移した剥離片５１を得ることができた。表面シート側に剥離剤層１８を有する表面シート１３となっていた。
【００２１】
この蓋材１（剥離片５１を剥離させない状態のもの）を用いて、図４に示すようなあらかじめ成型されたカップ状の容器４１に中身であるラーメン用材料（図示せず）を入れた後、蓋材１の裏面の熱シール材層２２を容器４１の周縁開口部とを密着させた状態で熱シールして蓋をして、図４に示すような容器入りインスタント食品４が得られた。
次に消費者がこのインスタント食品を食する際には、図５に示すように、前記蓋材１のタブ部３を指でつまんで、蓋本体２を容器４１から一部を引き剥がすのと同時に、ハーフカット２３に沿ってタブ部３から剥がすことにより、図３に示すような剥離片５１を得た。
次いで、開けた部分からお湯を注いで蓋をして、タブ部３を図６のようにカップ状の容器４１の側面に沿うように折り曲げて密着させ、先ほど得られた剥離片５１を図６のように貼り合わせた。
このようにして開けられた蓋が浮き上がらないようにリクローズすることが出来た。
【００２２】
〈実施例２〉
実施例１の蓋材１の構成において、タブ部３と対向する位置に剥離剤層１８と粘着剤層１９の積層順序が入れ替わった構成として形成され、かつ、表面シート１３側から粘着剤層１９または剥離剤層１８に達するハーフカット２３を入れた図７に示すような蓋材１を作成した。
【００２３】
この蓋材１において、図８に示すように、ハーフカット２３に沿って表面シート１３に積層された基材１１を、剥がそうとすると、剥離剤層１８と粘着剤層１９との間から剥がれて、表面シート側に粘着剤層が転移した剥離片５１を得ることができた。
【００２４】
この蓋材１を用いて、実施例１のように、容器入りインスタント食品４を作成し、一部蓋を開け、開けた部分からお湯を注いで蓋をして、図９に示すように、タブ部３をカップ状の容器４１の側面に沿うように折り曲げて密着させ、剥がして得られた剥離片５１を貼り合わせた。
このようにして開けられた蓋が浮き上がらないようにリクローズすることが出来た。
【００２５】
【発明の効果】
本発明は以上の構成であるから、下記に示す如き効果がある。
わざわざ容器の一部にタックシールを取り付けるなどすることなく、蓋材の一部を層間剥離させることにより、タックシールとしての剥離片が得られ、この剥離片を用いて蓋材をリクローズすることが出来た。
従って本発明は、インスタント食品などの容器の蓋材として、優れた実用上の効果を発揮する。
【図面の簡単な説明】
【図１】本発明の実施例における蓋材の表面を示す表面図である。
【図２】本発明の実施例１における蓋材の断面を示す断面図である。
【図３】本発明の実施例１における蓋材からタックシールを得ることができることを示す断面図である。
【図４】本発明の実施例１における容器入りインスタント食品を示す断面図である。
【図５】本発明の実施例１における容器入りインスタント食品の蓋の一部を開けたことを示す断面図である。
【図６】本発明の実施例１における容器入りインスタント食品の蓋の一部を開け、リクローズ状態を示す断面図である。
【図７】本発明の実施例２における蓋材の断面を示す断面図である。
【図８】本発明の実施例２における蓋材からタックシールを得ることができることを示す断面図である。
【図９】本発明の実施例２における容器入りインスタント食品の蓋の一部を開け、リクローズ状態を示す断面図である。
【符号の説明】
１…蓋材
２…蓋本体
３…タブ部
４…容器入りインスタント食品
１１…基材
１２…接着剤層
１３…表面シート
１４…タック層
１５…印刷絵柄層
１６…芯材
１７…目止めコート層
１８…剥離剤層
１９…粘着剤層
２１…基材シート
２２…熱シール材層
２３…ハーフカット
４１…容器
５１…剥離片
【図１】
0004608746.tif 000002
【図２】
0004608746.tif 000003
【図３】
0004608746.tif 000004
【図４】
0004608746.tif 000005
【図５】
0004608746.tif 000006
【図６】
0004608746.tif 000007
【図７】
0004608746.tif 000008
【図８】
0004608746.tif 000009
【図９】
0004608746.tif 000010